(57)【要約】【課題】高温域で流体動圧軸受が回転体の荷重を十分に支持できる粘度領域を満たし、かつ低温域での粘度の上昇を抑制、さらに高温域及び低温域における蒸発減量が少なく、かつ安定している潤滑油基油を提供する。【解決手段】β-アルキル分岐の脂肪族アルコールと脂肪族カルボン酸とから成る、式（１）で表されるモノエステルを含有する潤滑油基油。2014139306.tif 000006［Ｒ１は、炭素数が３〜１７の直鎖又は分岐アルキル又はアルケニル基である。Ｒ２は、炭素数４〜１４の直鎖アルキル基である。Ｒ３は、炭素数２〜１２の直鎖アルキル基である。］【選択図】なし【特許請求の範囲】
【請求項１】
β-アルキル分岐の脂肪族アルコールと脂肪族カルボン酸とから成る、式（１）で表されるモノエステルを含有する潤滑油基油。
【化１】
2014139306.tif 000005
［Ｒ1は、炭素数が３〜１７の直鎖又は分岐アルキル又はアルケニル基である。Ｒ2は、炭素数４〜１４の直鎖アルキル基である。Ｒ3は、炭素数２〜１２の直鎖アルキル基である。］
【請求項２】
前記β-アルキル分岐の脂肪族アルコールが、2-ヘキシルデカノール、2-ヘキシルドデカノール、2-ヘキシルテトラデカノール、2-ヘプチルデカノール、2-ヘプチルドデカノール、2-ヘプチルテトラデカノール、2-オクチルデカノール、2-オクチルドデカノール、2-オクチルテトラデカノール及びこれらの混合物からなる群から選ばれる１種である、請求項１記載の潤滑油基油。
【請求項３】
前記脂肪族カルボン酸がヘプタン酸、オクタン酸、ノナン酸、デカン酸、ドデカン酸及びこれらの混合物からなる群から選ばれる１種である請求項１又は２記載の潤滑油基油。
【請求項４】
前記β-アルキル分岐の脂肪族アルコールが、2-ヘキシルデカノール、2-オクチルデカノール、2-ヘキシルドデカノール及び2-オクチルドデカノールの混合物であり、脂肪族カルボン酸が、オクタン酸、ノナン酸又はデカン酸である、請求項１〜３のいずれか１項記載の潤滑油基油。
【請求項５】
請求項１〜４のいずれか１項記載の潤滑油基油を含有する潤滑油。
【発明の詳細な説明】
【技術分野】
【０００１】
本発明は、幅広い温度範囲で使用しても適正な粘度を維持し、また蒸発減量の少ない潤滑油基油に関する。
【背景技術】
【０００２】
ハードディスクドライブ、コンパクトディスク（ＣＤ）、ＤＶＤのモータの回転軸受には、ボールベアリングや流体動圧軸受が使用されている。
ボールベアリングは長時間使用すると軸受に対する負荷が大きくなり、振動、騒音が発生しやすい。一方、流体動圧軸受は、軸の回転によって潤滑油が流れることで圧力を発生させて回転を支持し、軸と軸受部が直接触れ合わないため、摩擦抵抗が小さく、低振動、低騒音にも優れる。従って、近年では流体動圧軸受が使用されることが多いが、流体動圧軸受の運転条件により潤滑油の使用環境が大きく変わる。
モータの連続回転時には潤滑油が高温域での運転になり、またモータの始動時には潤滑油が低温域にある。そのため、高温域では潤滑油の粘度が低下し、蒸発減量が大きくなり、低温域では潤滑油の粘度が高くなり、蒸発減量は少なくなる。
潤滑油が高温域にある場合、潤滑油が熱膨張してその粘度が低下すると軸受剛性が低下し、回転体の荷重を十分に支持できなくなる恐れがある。このため、使用する潤滑油には高温域でも安定して一定の使用粘度を維持することが要求される。
一方、潤滑油が低温域にある場合、潤滑油の粘度が高いと回転時の粘性抵抗が大きくなり、モータの電力損失が大きくなる。このため、使用する潤滑油には低温域になっても粘度上昇が小さく、安定して一定の使用粘度を維持することが要求される。
上記のように流体動圧軸受用潤滑油には、高温域では粘度低下せず、かつ低温域になっても粘度上昇しない、という一見相反する粘度特性が要求される。さらに、高温域及び低温域における蒸発減量が少なく、かつ安定していることが要求される。
【０００３】
ジェットエンジンなどの低温から高温までの用途に使用できる合成潤滑油組成物として、RCOOR´で表されるモノエステルのC16-Guerbet Cocoate, n-C16 Guerbet Cocoate, C26-Guerbet Cocoate, C16-Guerbet Cocoate + 7%Acryloid 747, C16-Oxo Cocoate, C16-Oxo C13-Oxoate, C16-Guerbet C13-Oxoateなどが報告されている（特許文献１）。
流体動圧軸受用潤滑油として、２，４−ジエチル−１，５−ペンタンジオールのジn−オクチル酸エステル等が報告されており、ポリ−α−オレフィン、ジオクチルセバケート、ネオペンチルグリコールとノナン酸とのエステルやペンタエリスリトールのエステル等と比べて、低温流動性に優れていることが報告されている（特許文献２）。
軸受用潤滑油として、３−メチル−１，５−ペンタンジオールとｎ−ヘプタン酸及び／又はｎ−オクタン酸のジエステル等が、広範囲の温度領域で低粘度であると報告されている（特許文献３）。
低粘度で、かつ高温下での低蒸発性に優れ、低温から高温までの広い温度範囲で長期間使用できる潤滑油用基油及び潤滑油として、2-プロピルヘプタノール、2-ブチルオクタノール、2-ヘキシルデカノール、2-ヘプチルウンデカノールなどのアルコール及びその混合物とオレイン酸、リノール酸、カプリン酸、ラウリン酸、ミリスチン酸などの脂肪酸及びその混合物のモノエステル油が報告されている（特許文献４及び特許文献５）。
【先行技術文献】
【特許文献】
【０００４】
【特許文献１】ＵＳ２７５７１３９
【特許文献２】特開２００３−３２１６９１号公報
【特許文献３】特開２００３−１１９４８２号公報
【特許文献４】特開２００９−１８５１９１号公報
【特許文献５】特開２００９−２０３２７５号公報
【発明の概要】
【発明が解決しようとする課題】
【０００５】
既述のとおり、近年では、モータの電力損失を更に少なくする目的で、粘性抵抗の小さい流体動圧軸受用潤滑油が必要とされている。従来の流体動圧軸受用潤滑油は、温度に対する粘度変化が大きいため、高温域での粘度を高くすると、低温域での粘度も大きくなるためモータの電力損失が大きくなる。逆に低温域での粘度を低くすると、高温域での粘度も低くなるため回転体の荷重を十分に支持できなくなる。
従って、本発明が解決しようとする課題は、潤滑油基油が、高温域で流体動圧軸受が回転体の荷重を十分に支持できる粘度領域を満たし、かつ低温域での潤滑基油の粘度上昇を抑制することである。また、高温域及び低温域における潤滑基油の蒸発減量が少なく、かつ安定していることである。
よって、本発明の目的は、高温域で流体動圧軸受が回転体の荷重を十分に支持できる粘度領域を満たし、かつ低温域での粘度の上昇を抑制し、さらに高温域及び低温域における蒸発減量が少なく、かつ安定している潤滑油基油を提供することである。
【課題を解決するための手段】
【０００６】
本発明者らはこの課題に対し、特定の脂肪族アルコールと特定の脂肪族カルボン酸とから構成されるモノエステルにより、上記課題を解決した。
即ち、本発明により、以下の潤滑油基油及び潤滑油を提供する：
１．  β-アルキル分岐の脂肪族アルコールと脂肪族カルボン酸とから成る、式（１）で表されるモノエステルを含有する潤滑油基油。
【０００７】
【化１】
2014139306.tif 000002
【０００８】
［Ｒ1は、炭素数が３〜１７の直鎖又は分岐アルキル又はアルケニル基である。Ｒ2は、炭素数４〜１４の直鎖アルキル基である。Ｒ3は、炭素数２〜１２の直鎖アルキル基である。］
２．  前記β-アルキル分岐の脂肪族アルコールが、2-ヘキシルデカノール、2-ヘキシルドデカノール、2-ヘキシルテトラデカノール、2-ヘプチルデカノール、2-ヘプチルドデカノール、2-ヘプチルテトラデカノール、2-オクチルデカノール、2-オクチルドデカノール、2-オクチルテトラデカノール及びこれらの混合物からなる群から選ばれる１種である、前記１項記載の潤滑油基油。
３．  前記脂肪族カルボン酸がヘプタン酸、オクタン酸、ノナン酸、デカン酸、ドデカン酸及びこれらの混合物からなる群から選ばれる１種である前記１又は２項記載の潤滑油基油。
４．  前記β-アルキル分岐の脂肪族アルコールが、2-ヘキシルデカノール、2-オクチルデカノール、2-ヘキシルドデカノール及び2-オクチルドデカノールの混合物であり、脂肪族カルボン酸が、オクタン酸、ノナン酸又はデカン酸である、前記１〜３のいずれか１項記載の潤滑油基油。
５．  前記１〜４のいずれか１項記載の潤滑油基油を含有する潤滑油。
【発明の効果】
【０００９】
本発明によれば、高温域で流体動圧軸受が回転体の荷重を十分に支持できる粘度領域を満たし、かつ低温域での粘度の上昇を抑制できる潤滑油基油を提供できる。本発明の潤滑油基油はまた、蒸発減量が少なく、安定的な流体動圧軸受の使用を可能にする。本発明の潤滑基油はまた、耐加水分解性に優れる。
【発明を実施するための形態】
【００１０】
本発明の潤滑油基油は、β-アルキル分岐の脂肪族アルコールと脂肪族カルボン酸とから生成されるモノエステルを含有する。
前記脂肪族アルコールの総炭素数は８〜２８、好ましくは１４〜２６、最も好ましくは１８〜２２である。β-アルキル分岐の脂肪族アルコールの具体例としては、2-ヘキシルデカノール、2-ヘキシルドデカノール、2-ヘキシルテトラデカノール、2-ヘプチルデカノール、2-ヘプチルドデカノール、2-ヘプチルテトラデカノール、2-オクチルデカノール、2-オクチルドデカノール、2-オクチルテトラデカノールなどである。β-アルキル分岐の脂肪族アルコールは、単独でまたは２種類以上混合して用いることができる。２種以上混合するのが好ましい。2-ヘキシルデカノール、2-オクチルデカノール、2-ヘキシルドデカノール及び2-オクチルドデカノールの混合物が最も好ましい。
脂肪族カルボン酸は、飽和又は不飽和の直鎖又は分岐の脂肪族カルボン酸を使用できる。飽和脂肪族カルボン酸が好ましい。直鎖の脂肪族カルボン酸が好ましい。飽和直鎖脂肪族カルボン酸がより好ましい。脂肪族カルボン酸の炭素数は４〜１８、好ましくは７〜１２、最も好ましくは８〜１０である。
脂肪族カルボン酸の具体例としては、ヘキサン酸、ヘプタン酸、オクタン酸、ノナン酸、デカン酸、ドデカン酸、テトラデカン酸、ペンタデカン酸、ヘキサデカン酸、ヘプタデカン酸、オクタデカン酸等が挙げられる。中でも、ヘプタン酸、オクタン酸、ノナン酸、デカン酸、ドデカン酸が好ましい。オクタン酸、ノナン酸、デカン酸がより好ましい。ノナン酸が特に好ましい。脂肪族カルボン酸は単独または２種類以上混合して用いることができる。
前記脂肪族アルコール又は脂肪族カルボン酸のいずれか一方又は両方を、２種以上の混合物として用いた場合、得られるモノエステルは２種以上の混合物になる。本発明の潤滑油基油は、２種以上のモノエステルの混合物であるのが好ましい。
とりわけ、2-ヘキシルデカノール、2-オクチルデカノール、2-ヘキシルドデカノール及び2-オクチルドデカノールの混合物であり、脂肪族カルボン酸がオクタン酸であるモノエステル化合物の混合物が好ましい。
2-ヘキシルデカノール、2-オクチルデカノール、2-ヘキシルドデカノール及び2-オクチルドデカノールの混合物であり、脂肪族カルボン酸がノナン酸であるモノエステル化合物の混合物もまた好ましい。
2-ヘキシルデカノール、2-オクチルデカノール、2-ヘキシルドデカノール及び2-オクチルドデカノールの混合物であり、脂肪族カルボン酸がデカン酸であるモノエステル化合物の混合物もまた好ましい。
【００１１】
本発明の潤滑油基油は、その性能を低下させない範囲で、他の潤滑油基油、すなわち、鉱物油、ポリα−オレフィン、ポリブテン、アルキルベンゼン、動植物油、有機酸エステル、ポリアルキレングリコール、ポリビニールエーテル、ポリフェニルエーテル、アルキルフェニルエーテル、シリコーンからなる群から選ばれる１種又は２種以上を適宣併用することも可能である。併用するその他の基油の量は本発明の潤滑油基油に対して０〜５０質量％が好ましく、低温性を損なわないためには本発明の潤滑油基油に対して０〜２０質量％であることが好ましい。さらに、低温性及び蒸発減量を損なわないためには本発明の潤滑油基油に対して０〜１０質量％であることが特に好ましい。さらに、他の潤滑油基油を含まないのが最も好ましい。
【００１２】
脂肪族分岐アルコールと脂肪族モノカルボン酸とのエステル化反応は、当業界において公知の方法により行うことができる。通常、１５０〜３００℃、好ましくは２００〜２５０℃で行われる。反応時間は、反応のスケール等により変わるため、特に限定されないが、好ましくは１〜１０時間である。圧力は常圧または減圧で実施するが、減圧の場合は通常０．１〜８０kPaである。エステル中に水酸基が残ると熱安定性が低下するので、脂肪族分岐アルコールと脂肪族モノカルボン酸との仕込みモル比は、好ましくは１．０：１．０〜１．５、さらに好ましくは１．０：１．０５〜１．２０とすることが望ましい。
エステル化反応においては触媒を使用しても良く、この場合の該触媒の使用量は、原料仕込み量の０．０１〜０．５質量％が好ましい。この場合の触媒としては、例えば、硫酸、ｐ−トルエンスルホン酸、スズ酸化物、アルキルチタネート等が挙げられる。
【００１３】
本発明の潤滑油基油の４０℃における動粘度は、７〜１２mm2/sであるのが好ましく、７〜１１mm2/sであるのがより好ましく、７〜１０mm2/sであるのが更に好ましい。潤滑油が熱膨張しすぎると粘性が低下して軸受剛性が低下し、回転体の荷重を十分に支持できなくなる恐れがある。
本発明の潤滑油基油の粘度指数は、低温域での粘度上昇を抑制する観点から、１２８以上であるのが好ましく、より好ましくは１３０〜１６０である。なお、粘度指数とは、温度変化に伴う潤滑油の粘度変化を示す実験的に求められる指数である。一般的に、粘度指数が大きい潤滑油ほど、温度変化に伴う粘度の変化が小さく、粘度指数が小さい潤滑油ほど、温度変化に伴う粘度の変化が大きい。
本発明の潤滑油基油の流動点は、−２５℃以下であるのが好ましい。
【００１４】
本発明の潤滑油基油は、潤滑油として使用することができる。本発明の潤滑油は、その性能を向上させるため、必要に応じて、酸化防止剤、帯電防止剤等を含ませることができる。
酸化防止剤としては、アミン系酸化防止剤及び、又はフェノール系酸化防止剤を組み合わせて添加する場合が好ましい。特に、アミン系酸化防止剤とフェノール系酸化防止剤を組み合わせて添加する場合が好ましい。アミン系酸化防止剤とフェノール系酸化防止剤を組み合わせて添加すると、単独で使用したした場合と比較して高温条件下で長期間にわたって優れた低揮発性を潤滑油に付与することができる。アミン系酸化防止剤の含有量は、流体動圧軸受用潤滑油に対して、好ましくは０．０１〜５質量％添加される。フェノール系酸化防止剤の含有量は、流体動圧軸受用潤滑油に対して、好ましくは０．０１〜５質量％添加される。
帯電防止剤は、流体動圧軸受用潤滑油に対して、好ましくは０．０１〜０．１質量％添加される。
上記潤滑油は、流体動圧軸受等に好適に用いることができる。
【実施例】
【００１５】
〔実施例１〕
攪拌機、温度計、窒素吹き込み管、及び冷却器付きの脱水管を取り付けた３Ｌの４つ口フラスコを用意し、2-ヘキシルデカノール、2-オクチルデカノール、2-ヘキシルドデカノール及び2-オクチルドデカノールの混合物（１２３８ｇ）（４．６モル）と、ｎ−オクタン酸（７９２ｇ）（５．５モル）を仕込み、常圧で２００℃、８時間反応させた。減圧（０．４kＰa）下、過剰の脂肪酸を留去した後、２０％の水酸化ナトリウム水溶液（２００ｇ）（８０℃）で洗浄し、さらに１Ｌの水で４回水洗し、減圧下脱水（２１０℃以下、０．４kPa以下）を２時間行い、目的のエステル化合物を得た。
【００１６】
〔実施例2〕
攪拌機、温度計、窒素吹き込み管、及び冷却器付きの脱水管を取り付けた３Ｌの４つ口フラスコを用意し、2-ヘキシルデカノール、2-オクチルデカノール、2-ヘキシルドデカノール及び2-オクチルドデカノールの混合物（１２３８ｇ）（４．６モル）と、ｎ−ノナン酸（８６９ｇ）（５．５モル）を仕込み、常圧で２００℃、８時間反応させた。減圧（０．４kＰa）下、過剰の脂肪酸を留去した後、２０％の水酸化ナトリウム水溶液（２００ｇ）（８０℃）で洗浄し、さらに１Ｌの水で４回水洗し、減圧下脱水（２１０℃以下、０．４kPa以下）を２時間行い、目的のエステル化合物を得た。
【００１７】
〔実施例３〕
攪拌機、温度計、窒素吹き込み管、及び冷却器付きの脱水管を取り付けた３Ｌの４つ口フラスコを用意し、2-ヘキシルデカノール、2-オクチルデカノール、2-ヘキシルドデカノール及び2-オクチルドデカノールの混合物（１２３８ｇ）（４．６モル）と、ｎ−デカン酸（９４６ｇ）（５．５モル）を仕込み、常圧で２００℃、８時間反応させた。減圧（０．４kＰa）下、過剰の脂肪酸を留去した後、２０％の水酸化ナトリウム水溶液（２００ｇ）（８０℃）で洗浄し、さらに１Ｌの水で４回水洗し、減圧下脱水（２１０℃以下、０．４kPa以下）を２時間行い、目的のエステル化合物を得た。
【００１８】
〔比較例１〕
攪拌機、温度計、窒素吹き込み管、及び冷却器付きの脱水管を取り付けた３Ｌの４つ口フラスコを用意し、２，４−ジエチル−１，５−ペンタンジオール（６４１．２ｇ）（４モル）と、ｎ−オクチル酸（１７３０．６ｇ）（１２モル）を仕込み、常圧で２００℃、８時間反応させた。減圧（３mmHg）下、過剰の脂肪酸を留去した後、２０％の水酸化ナトリウム水溶液（６３０ｇ）（８０℃）で洗浄し、さらに１Ｌの水で４回水洗し、減圧下脱水（２７５℃以下、４mmHg以下）を２時間行った。さらに上記の残留物から、４mmHg減圧下、２８０〜２８３℃で目的の脂肪酸エステルを得た。
【００１９】
〔比較例２〕
攪拌機、温度計、窒素吹き込み管、及び冷却器付きの脱水管を取り付けた３Ｌの４つ口フラスコを用意し、２−メチル−１，８−オクタンジオール（１２１．８ｇ）（０．７６モル）及び１，９−ノナンジオール（５１９．２ｇ）（３．２４モル）の混合物と、ｎ−ヘプタン酸（１５６２．３ｇ）（１２モル）を仕込み、常圧で２００℃、８時間反応させた。減圧（０．４kＰa）下、過剰の脂肪酸を留去した後、２０％の水酸化ナトリウム水溶液（２００ｇ）（８０℃）で洗浄し、さらに１Ｌの水で４回水洗し、減圧下脱水（２１０℃以下、０．４kPa以下）を２時間行った。さらに上記の残留物から、０．４kPa減圧下、２３０〜２３５℃で目的のジエステルを得た。
【００２０】
＜試験方法＞
１．動粘度
実施例及び比較例で得たエステル化合物の動粘度を、動粘度測定用精密恒温槽（離合社製、Cat.No.４０３ＤＳ）とウベローデ粘度計（粘度計番号：０Ｂ（１００℃）、１Ａ（４０℃））を用いて、ＪＩＳ  Ｋ  ２２８３  ３．：１９８３の規定に従って測定した。
２．粘度指数
１００℃及び４０℃における動粘度の数値からＪＩＳ  Ｋ  ２２８３  ４．：１９８３の規定に従って粘度指数を算出した。
３．流動点
流動点は、流動点試験器（離合社製、Cat.No.520R・14L）を用いて、ＪＩＳ  Ｋ  ２２６９：１９８７の規定に従って測定した。
４．蒸発減量
２０ml試料ビンに油５gと、フェノール系酸化防止剤1ｇ及びアミン系酸化防止剤0.1ｇを精秤し、１２０℃の恒温槽で所定時間静置した後の蒸発減量を測定した。
５．耐加水分解性
２０ml試料ビンに油５gと、フェノール系酸化防止剤1ｇ及びアミン系酸化防止剤0.1ｇを精秤し、サンプル（10g）に水（1ml）とp-トルエンスルホン酸のジオキサン溶液（2.4×10-3mol/L、10ml）を加え、90℃の恒温槽で5時間静置した後の全酸価を測定した。
【００２１】
＜評価基準＞
上記試験項目１．〜４．について、以下の基準で評価した。結果を下記表に示す。試験項目５.については測定値を記載した。
総合評価
１．から５．の全てが○      ：◎（合格）
１．から５．の内の一つでも×：×（不合格）
１．動粘度
４０℃における動粘度の値で評価した
７〜１２mm2/s：○
２．粘度指数
１２８以上：○
１２８未満：×
３．流動点
−２５℃以下：○
−２５℃超  ：×
４．蒸発減量
１２０℃において１０００時間静置後の値で評価した。
０．０９以下：○
０．０９超  ：×
【００２２】
【表１】
2014139306.tif 000003
【００２３】
【表２】
2014139306.tif 000004
【００２４】
上記表から明らかなように、本発明の潤滑油基油は、高温域で流体動圧軸受が回転体の荷重を十分に支持できる粘度領域を満たし、かつ低温域での粘度上昇が小さい優れた粘度特性及び蒸発減量を示す。流動点及び耐加水分解性も満足のいく結果であった。従って、本発明は、潤滑油基油として好適である。